(57)【要約】【課題】  コアおよびコイルバネをコア保持体へ容易に取り付けることができるシート体と熱転写シート用カセットとの組合せ体を提供する。【解決手段】  組合せ体１は、フランジ１２，２２を有する巻取コア１１および供給コア２１と、熱転写シート５とからなるシート体１０と、シート体１０を収納する熱転写シート用カセット３０とを備える。カセットは巻取コア保持部４１と、供給コア保持部５１と、これらを連結する連結部６１とを有するコア保持体３１と、蓋体３４，３７とを有する。コアのフランジの外側にコアと同軸上に円筒部材１６，２６が設けられ、コア保持部はコアの円筒部材側の端部１４，２４を受ける支持部材４３，５３を有する。コアと円筒部材との間にコイルバネ７１，７２が挿入され、コイルバネ７１，７２は支持部材とフランジとの間で圧縮される。【選択図】  図１
2005219310.tif 000002
【特許請求の範囲】
【請求項１】
両端部近傍に一対のフランジを有する巻取コアと、両端部近傍に一対のフランジを有する供給コアと、巻取コアの一対のフランジ間と供給コアの一対のフランジ間とに巻き付けられサーマルヘッドにより加熱される熱転写シートとからなるシート体と、
シート体を収納する熱転写シート用カセットとを備えた組合せ体において、
熱転写シート用カセットは、
巻取コアを回転自在に保持する巻取コア保持部と、供給コアを回転自在に保持する供  給コア保持部と、これら巻取コア保持部と供給コア保持部とを連結する一対の連結部と  を有するコア保持体と、
コア保持体に装着される蓋体とを有し、
巻取コアおよび供給コアのうち少なくとも一方のコアに関し、当該コアの一方のフランジの外側にコアと同軸上に円筒部材が設けられ、
当該コアのコア保持部は当該コアの円筒部材側の端部を受ける支持部材を有し、
当該コアと円筒部材との間にコイルバネが挿入され、円筒部材内のコイルバネは支持部材と円筒部材側のフランジとの間で圧縮されることを特徴とするシート体と熱転写シート用カセットとの組合せ体。
【請求項２】
当該コアのコア保持部は上方に開口した軸受を有し、この軸受は円筒部材を受けることを特徴とする請求項１記載のシート体と熱転写シート用カセットとの組合せ体。
【請求項３】
支持部材は上下に延びる細長い開孔を有しており、当該コアの円筒部材側の端部はこの開孔に挿入されることを特徴とする請求項１記載のシート体と熱転写シート用カセットとの組合せ体。
【請求項４】
支持部材はコア保持部の外方に傾斜して上方に延びる案内部を有することを特徴とする請求項１記載のシート体と熱転写シート用カセットとの組合せ体。
【請求項５】
支持部材は基端部を固定された状態で反る板バネとして機能することを特徴とする請求項１記載のシート体と熱転写シート用カセットとの組合せ体。
【発明の詳細な説明】
【技術分野】
【０００１】
本発明は、熱転写シートと熱転写シートを巻き付ける巻取コアおよび供給コアとからなるシート体と、シート体を収納する熱転写シート用カセットとを備えた組合せ体に関する。
【背景技術】
【０００２】
従来、巻取コアと、供給コアと、熱転写シートとを有するシート体が知られている。このシート体は巻取コアのコア保持部と、供給コアのコア保持部とを有するコア保持体と、これらのコア保持体を覆う蓋体とを備えた熱転写シート用カセット内に収納される（例えば特許文献１参照）。また、熱転写シート用カセット内に収納された巻取コアと供給コアは、通常スプリングによって一方向に押圧されている。
【０００３】
不使用時には、一方向に押圧されることにより、巻取コアと供給コアはカセットに設けられた係合部に係止される。これによって、巻取コアと供給コアが空回りし、巻取コアと供給コアに巻き付けられた熱転写シートが弛むことはない。
【０００４】
他方、使用時には、外部の駆動機構により巻取コアと供給コアはスプリングの力に抗して移動し、係合部から解放される。これによって、巻取コアと供給コアは回転可能となり、駆動機構により回転させられる。次に、供給コアから熱転写シートが繰り出され、巻取コアに巻き取られる。この間、熱転写シートがサーマルヘッドにより加熱されて熱転写シートから画像が受像シートに転写される。
【特許文献１】ＵＳＰ５１１０２２８号公報
【発明の開示】
【発明が解決しようとする課題】
【０００５】
特許文献１においては、板バネとして機能するスプリングがコア保持体と一体として設けられている。しかしながら、コアをコア保持体に取り付ける際に板バネを反らす必要があり、このとき板バネが折れてしまう事がある。この場合、コア保持体全体を廃棄しなければならないという不具合がある。また、折れることのないようにスプリングを柔軟なものにした場合、組合せ体を使用していくうちにスプリングの弾発力が低下してコアの押圧力が不十分となり、さらには、コアがコア保持体から外れてしまうという不具合も生じる。
【０００６】
一方、スプリングをコア保持体とは別体のコイルバネとした場合、コア保持体とコアとの間に取り付ける際にコイルバネを圧縮して縮めなければならない。このため、コイルバネの取り付け時に、弾け飛んでしまうという不具合がある。また、このようなコイルバネは小さく、そして変形しやすいため、取り付け時に変形させてしまうこともある。
【０００７】
本発明はこのような点を考慮してなされたものであり、コアおよびコイルバネをコア保持体へ容易に取り付けることができるシート体と熱転写シート用カセットとの組合せ体を提供することを目的とする。
【課題を解決するための手段】
【０００８】
本発明によれば、両端部近傍に一対のフランジを有する巻取コアと、両端部近傍に一対のフランジを有する供給コアと、巻取コアの一対のフランジ間と供給コアの一対のフランジ間とに巻き付けられサーマルヘッドにより加熱される熱転写シートとからなるシート体と、シート体を収納する熱転写シート用カセットとを備えた組合せ体において、熱転写シート用カセットは、巻取コアを回転自在に保持する巻取コア保持部と、供給コアを回転自在に保持する供給コア保持部と、これら巻取コア保持部と供給コア保持部とを連結する一対の連結部とを有するコア保持体と、コア保持体に装着される蓋体とを有し、巻取コアおよび供給コアのうち少なくとも一方のコアに関し、当該コアの一方のフランジの外側にコアと同軸上に円筒部材が設けられ、当該コアのコア保持部は当該コアの円筒部材側の端部を受ける支持部材を有し、当該コアと円筒部材との間にコイルバネが挿入され、円筒部材内のコイルバネは支持部材と円筒部材側のフランジとの間で圧縮されることを特徴とするシート体と熱転写シート用カセットとの組合せ体である。
【０００９】
本発明は、当該コアのコア保持部は上方に開口した軸受を有し、この軸受は円筒部材を受けることを特徴とするシート体と熱転写シート用カセットとの組合せ体である。
【００１０】
本発明は、支持部材は上下に延びる細長い開孔を有しており、当該コアの円筒部材側の端部はこの開孔に挿入されることを特徴とするシート体と熱転写シート用カセットとの組合せ体である。
【００１１】
本発明は、支持部材はコア保持部の外方に傾斜して上方に延びる案内部を有することを特徴とするシート体と熱転写シート用カセットとの組合せ体である。
【００１２】
本発明は、支持部材は基端部を固定された状態で反る板バネとして機能することを特徴とするシート体と熱転写シート用カセットとの組合せ体である。
【発明の効果】
【００１３】
本発明によれば、コアの片側の端部をコア保持部の開口に挿入し、円筒部材が設けられた側の端部を下方に押し込むだけで、容易にコアをコア保持部に取り付けることができる。このとき、円筒部材側の端部はコイルバネを貫通しており、これによりコイルバネをコア保持体とコアとの間に容易に取り付けることができる。
【発明を実施するための最良の形態】
【００１４】
以下、図面を参照して本発明の実施の形態について説明する。
【００１５】
図１乃至図６は、本発明によるシート体と熱転写シート用カセットとの組合せ体の一実施の形態を示す図である。
【００１６】
図１乃至図３に示すように、組合せ体１は、両端部近傍に一対のフランジ１２，１３を有する巻取コア１１と、両端部近傍に一対のフランジ２２，２３を有する供給コア２１と、巻取コア１１の一対のフランジ１２，１３間と供給コア２１の一対のフランジ２２，２３間とに巻き付けられサーマルヘッド５ｂにより加熱される熱転写シート５とからなるシート体１０と、シート体１０を収納する熱転写シート用カセット３０とを備えている。
【００１７】
次に、シート体１０について説明する。シート体１０の熱転写シート５は、供給コア２１から繰り出されて巻取コア１１に巻取られ、この間熱転写シート５はサーマルヘッド５ｂにより加熱され、受像シート５ａに画像が転写される（図４）。このような熱転写シート５は、例えばポリエチレンテレフタレートからなる基材シート上に膜厚１μｍ程度のインクを塗布してなる。
【００１８】
次に、シート体１０の巻取コア１１および供給コア２１について説明する。本実施の形態において、巻取コア１１と供給コア２１は同一の形状からなっており、図６に熱転写シートを巻き付けていない巻取コア１１および供給コア２１を示す。図６に示すように巻取コア１１および供給コア２１は、一対のフランジ１２，１３，２２，２３間に配置され、熱転写シート５を巻き付ける円柱状または円筒状の巻き付け部１１ａ，２１ａと、巻き付け部１１ａ，２１ａと同軸上に配置され、一対のフランジ１２，１３，２２，２３の両外方にそれぞれ延びる円柱状の一方の端部１４，２４と、円筒状の他方の端部１５，２５とからなっている。
【００１９】
また、図６に示すように、一方の端部１４，２４側のフランジ１２，２２の外側側面１２ａ，２２ａには円筒状の円筒部材１６，２６が設けられている。円筒部材１６，２６は一方の端部１４，２４と同軸上に配置され、一方の端部１４，２４は円筒部材１６，２６の内側に配置されている。
【００２０】
他方の端部１５，２５は円筒状からなり、また、他方の端部１５，２５側のフランジ１３，２３の外側側面１３ａ，２３ａ周縁部には一定間隔をおいて配置される凹部１３ｂ，２３ｂが複数設けられている。
【００２１】
次に、上述した構成からなるシート体１０を収納する熱転写シート用カセット３０について説明する。
【００２２】
熱転写シート用カセット３０は巻取コア１１を回転自在に保持する巻取コア保持部４１と、供給コア２１を回転自在に保持する供給コア保持部５１と、これら巻取コア保持部４１と供給コア保持部５１とを連結する一対の連結部６１とを有するコア保持体３１と、コア保持体３１に装着される蓋体３４，３７とからなっている。
【００２３】
このうち蓋体３４は巻取コア保持部４１を覆うものであり、蓋体３７は供給コア保持部５１を覆うものである。また蓋体３４，３７は一対の側板３５ａ，３５ｂ，３８ａ，３８ｂを有している。
【００２４】
次に、コア保持体３１について説明する。コア保持体３１の巻取コア保持部４１および供給コア保持部５１は、それぞれ巻取コア１１および供給コア２１の円筒部材１６，２６を受ける軸受４２，５２を有している。軸受４２，５２は上方に開口しており、円筒部材１６，２６を下方から回転自在に支持するとともに横方向への移動を規制する。
【００２５】
また、図２および図３に示すように、巻取コア保持部４１および供給コア保持部５１は両端に一対の外壁４１ａ，４１ｂ，５１ａ，５１ｂを有しており、一方の外壁４１ａ，５１ａと軸受４２，５２との間に、巻取コア１１および供給コア２１の一方の端部１４，２４を受ける支持部材４３，５３が設けられている。
【００２６】
図５（ａ），（ｂ），（ｃ）に示すように、支持部材４３，５３は、上方に延びる支持部４３ａ，５３ａと、支持部４３ａ，５３ａの上部に配置され外方に傾斜して上方に延びる案内部４３ｂ，５３ｂと、案内部４３ｂ，５３ｂの上方に配置され上方に延びる先端部４３ｃ，５３ｃとを有する。支持部材４３，５３は全体として板状バネからなり、基端部４３ｅ，５３ｅを中心として外方（コアから離れる向きであって、図５において左向き）および内方（コアに近づく向きであって、図５において右向き）に反ることができる。また、支持部４３ａ，５３ａには、上下方向に延びる細長い開孔４３ｄ，５３ｄが設けられ、この開孔４３ｄ，５３ｄ内に巻取コア１１および供給コア２１の一方の端部１４，２４が挿入される。
【００２７】
また、図１に示すように、巻取コア保持部４１および供給コア保持部５１の他方の外壁４１ｂ，５１ｂには、巻取コア１１および供給コア２１の他方の端部１５，２５を受ける開口軸受４４，５４が設けられている。この開口軸受４４，５４と軸受４２，５２とによって巻取コア１１および供給コア２１はそれぞれ巻取コア保持部４１および供給コア保持部５１に回転自在に支持される。
【００２８】
また、コア保持体３１の一対の連結部６１間に、熱転写シート５に当接してこの熱転写シート５を案内するロッド６２が設けられている。ロッド６２は熱転写シート５に対して、サーマルヘッド５ｂと反対側に配置されており、かつロッド６２は熱転写シート５に対してコア保持体３１側へ配置されている（図４）。
【００２９】
またロッド６２は、各連結部６１に設けられ上方が開口した開口支持部６３により回転自在に支持されており、開口支持部６３の開口部は蓋体３７の内側に設けられた密閉リブ６４により覆われて密閉される。
【００３０】
このように、ロッド６２を熱転写シート５に対してサーマルヘッド５ｂと反対側に、かつ熱転写シート５に対してコア保持体３１側へもってきたことにより、熱転写シート５をサーマルヘッド５ｂが押圧した場合、ロッド６２はコア保持体３１側へ向かうことになり、サーマルヘッド５ｂの押圧時にロッド６２がコア保持体３１の外方へ押圧されてコア保持体３１から外れることはない。
【００３１】
また、ロッド６２は開口支持部６３内へ保持されるので、ロッド６２を開口支持部６３へ上方から挿入するだけで、ロッド６２を容易に開口支持部６３へ収納することができる。さらに、蓋３７をコア保持体３１の供給コア保持部５１へ被せるだけで、開口支持部６３を蓋３７の密閉リブ６４により密閉することにより、開口支持部６３と密閉リブ６４によりロッド６２を保持することができる。
【００３２】
また、図５に示すように、シート体１０が熱転写シート用カセット３０内に収納された場合、巻取コア１１および供給コア２１の一方の端部１４，２４と円筒部材１６，２６との間にコイルバネ７１，７２が挿入される。コイルバネ７１，７２は一方の端部１４，２４の長さと略同一の自然長を有し、一方の端部１４，２４外周に取り付けられるとともに、フランジ１２，２２と支持部材４３，５３との間で圧縮される。これにより、巻取コア１１および供給コア２１は一方の端部１４，２４側から他方の端部１５，２５側に向かって、すなわち図２乃至３において左側から右側に向かって押圧される。なお、この場合のコイルバネ７１，７２の弾発力は、巻取コア保持部４１および供給コア保持部５１の板バネとして機能する支持部材４３，５３の反り返りからの復元力よりも弱くなっている。
【００３３】
組合せ体１の駆動時には、巻取コア保持部４１および供給コア保持部５１の他方の外壁に設けられた開口軸受４４，５４から図示しない駆動機構が挿入され、この駆動機構がコイルバネ７１，７２の力に抗して巻取コア１１と供給コア２１を図２および図３の左側へ移動させ、巻取コア１１と供給コア２１を回転駆動させる。  
一方、熱転写シート５を停止する場合、巻取コア１１および供給コア２１から駆動機構が離れ、コイルバネ７１，７２によって巻取コア１１および供給コア２１を図２および図３の右側へ移動させる。このとき、巻取コア保持部４１および供給コア保持部５１の他方の外壁４１ｂ，５１ｂの内側に設けられた図示しない係合突起が、巻取コア１１および供給コア２１の凹部１３ｂ，２３ｂに係合して、巻取コア１１および供給コア２１を係止するようになっている。
【００３４】
さらにまた、巻取コア保持部４１および供給コア保持部５１の一対の外壁４１ａ，４１ｂ，５１ａ，５１ｂの内面に上下方向に延びる凹状レール４５，５５と凹状レール４５，５５端に設けられた孔４６，５６とが各々設けられている。一方、蓋体３４，３７の一対の側板３５ａ，３５ｂ，３８ａ，３８ｂには、この凹状レール４５，５５に係合して案内され、孔４６，５６に嵌込まれる爪３６，３９が各々設けられている。すなわち、コア保持体３１に蓋体３４，３７を装着する際、蓋体３４，３７の爪３６，３９を対応する巻取コア保持部４１および供給コア保持部５１の凹状レール４５，５５に係合させて押し込む。このことにより、爪３６，３９は孔４６，５６に嵌め込まれ、コア保持体３１の巻取コア保持部４１と供給コア保持部５１に蓋体３４，３７をスムースに装着することができる。
【００３５】
次にこのような構成からなる本実施の形態の作用について説明する。
【００３６】
まず、コア保持体３１の開口支持部６３内にロッド６２が取り付けられる。上述のように、開口支持部６３は上方へ開口しているので、ロッド６２を上方から開口支持部６３に嵌込むだけで容易に取り付けることができる。
【００３７】
次に、巻取コア１１を巻取コア保持部４１に、供給コア２１を供給コア保持部５１に取り付け、シート体１０をコア保持体３１に収納する。
【００３８】
巻取コア１１を巻取コア保持部４１に取り付ける場合、まず巻取コア１１の他方の端部１５が巻取コア保持部４１の開口軸受４４に挿入される。このとき、一方の端部１４と円筒部材１６との間にコイルバネ７１が挿入されるが、巻取コア１１は他方の端部１５を下方として傾斜した状態となっているので、作業者が特別の注意を払わなくてもコイルバネ７１が巻取コア１１から落下してしまうことはない。
【００３９】
その後、他方の端部１５が開口軸受４４に挿入されたまま、巻取コア１１の円筒部材１６が巻取コア保持部４１の軸受４２の上方開口内に収納されるように、巻取コア１１の一方の端部１４を巻取コア保持部４１に向かって下げる。このとき、巻取コア１１の一方の端部１４の先端およびコイルバネ７１の先端が、図５（ａ）に示すように、巻取コア保持部４１の支持部材４３の案内部４３ｂに当接する。
【００４０】
次に、巻取コア１１の一方の端部１４側を下方に押し込む。このとき、円筒部材１６は軸受４２によって横方向（図５における紙面に対して奥行きの方向）へのずれが防止されるので、真下に押し込むことができる。一方の端部１４が下方に押し込まれると、一方の端部１４は当接する支持部材４３の案内部４３ｂを外方（図５において左方）に向けて押圧する。これによって、図５（ｂ）に示すように、支持部材４３は基端部４３ｅが固定された状態で外方に反る。その後、図５（ｃ）に示すように、一方の端部１４が支持部材４３の支持部４３ａに設けられた開孔４３ｄに嵌め込まれるとともに、円筒部材１６が軸受４２により下方から支持される。また、支持部材４３は一方の端部１４からの押圧が解除されて、元の位置に戻り、コイルバネ７１が支持部材４３と巻取コア１１のフランジ１２との間で圧縮される。
【００４１】
このようにして、他方の端部１５を巻取コア保持部４１の開孔４４に挿入し、一方の端部１４を押し込むだけで、容易に巻取コア１１を巻取コア保持部４１に取り付けることができる。このとき、一方の端部１４はコイルバネ７１を貫通しており、これにより、コイルバネ７１を支持部材４３とフランジ１２との間に容易に取り付けることができる。
【００４２】
この場合、一方の端部１４に取り付けられたコイルバネは、円筒部材１６に囲まれているので、一方の端部１４を押し込む際にコイルバネ７１が弾け飛んでしまうことはなく、また指でコイルバネ７１を変形させてしまうこともない。また、取り付けが完了した際には、支持部材４３が元の位置に跳ね戻り、これにより、作業者は巻取コア１１が正しい位置に取り付けられたことを確認することができる。
【００４３】
その後、上述した巻取コア１１の巻取コア保持部４１への取り付けと同様にして、供給コア２１が供給コア保持部５１へ取り付けられる。このようにして、シート体１０がコア保持体３１に収納される。
【００４４】
次に、コア保持体３１の巻取コア保持部４１に蓋体３４を装着し、供給コア保持部５１に蓋体３７を装着する。この場合、蓋体３４，３７の爪３６，３９を巻取コア保持部４１および供給コア保持部５１の凹状レール４５，５５に係合させて押し込むことにより、爪３６，３９は凹状レール４５，５５に案内されて、孔４６，５６に嵌込まれる。これにより、蓋体３４，３７をスムースにコア保持体３１に装着することができる。また蓋体３７の密閉リブ６４が開口支持部６３を密閉することにより、ロッド６２を開口支持部６３と密閉リブ６４との間で係止して保持することができる。
【００４５】
このようにして、熱転写シート５を有するシート体１０を熱転写シート用カセット３０内に収納保持することができ、シート体１０と熱転写シート用カセット３０とからなる組合せ体１が得られる。
【００４６】
シート体１０を熱転写シート用カセット３０内に収納した後、この組合せ体１がプリンタに装着され、プリンタのサーマルヘッド５ｂにより熱転写シート５が加熱され画像が受像シート５ａに転写される（図４）。
【００４７】
この場合、熱転写シート５はロッド６２により熱転写シート用カセット３０内を案内されるので、熱転写シート５が熱転写シート用カセット３０内面に接触または当接することはない。このため熱転写シート５をスムースに供給コア２１から繰り出して巻取コア１１に巻取ることができる。また、ロッド６２を熱転写シート５に対してサーマルヘッド５ｂと反対側に、かつ熱転写シート５に対してコア保持体３１側へもってきたので、サーマルヘッド５ｂが熱転写シート５を押圧した場合、ロッド６２はコア保持体３１側へ向かうことになり、サーマルヘッド５ｂの押圧時にロッド６２がコア保持体３１の外方へ押圧されてコア保持体３１から外れてしまうことはない。
【００４８】
また、使用中にコイルバネ７１，７２に不具合が生じた場合、コイルバネ７１，７２を取り替えることができる。この場合、まず該当するコア１１，２１側の蓋体３４，３７をコア保持体３０から取り外す。次に、支持部材４３の先端部４３ｃ，５３ｃを押さえて支持部材４３，５３を外方に反らすとともに、コア１１，２１の一方の端部１４，２４側を上方に持ち上げる。これにより、容易にコイルバネ７１，７２を取り出して、新しいコイルバネに取り替えることができる。この場合、支持部材４３，５３とフランジ１２，２２との間で圧縮されたコイルバネ７１，７２は、支持部材４３，５３が反らされるのにしたがって徐徐に圧縮力が解除され、またコイルバネ７１，７２は円筒部材によって囲まれているので、コイルバネ７１，７２の弾け飛びを防止することができる。
【００４９】
以上のように本実施の形態によれば、他方の端部１５，２５を巻取コア保持部４１または供給コア保持部５１の開口軸受４４，５４に挿入し、一方の端部１４，２４を下方に押し込むだけで、容易に巻取コア１１を巻取コア保持部４１に、供給コア２１を供給コア保持部５１に取り付けることができる。このとき、一方の端部１４，２４はコイルバネ７１，７２を貫通しており、これにより、コイルバネ７１，７２をコア保持体３１の支持部材４３，５３とフランジ１２，２２との間に容易に取り付けることができる。
【００５０】
また、一方の端部１４，２４に取り付けられたコイルバネ７１，７２は円筒部材１６，２６に囲まれているので、一方の端部１４，２４を押し込む際にこのコイルバネ７１，７２が弾け飛んでしまうことはなく、また指でコイルバネ７１，７２を変形させてしまうこともない。
【００５１】
また、巻取コア１１および供給コア２１の取り付けが完了した際には、支持部材４３，５３が元の位置に跳ね戻り、これにより、作業者は巻取コア１１または供給コア２１が正しい位置に取り付けられたことを確認することができる。
【図面の簡単な説明】
【００５２】
【図１】本発明による組合せ体の一実施例を示す斜視図。
【図２】シート体を収納したコア保持体の平面図。
【図３】シート体を収納したコア保持体の正面図。
【図４】熱転写シートとロッドとサーマルヘッドとの関係を示す図。
【図５】コアの一方の端部の保持状態を示す部分断面図。
【図６】コアを示す平面図。
【符号の説明】
【００５３】
１  組合せ体
５  熱転写シート
５ｂ  サーマルヘッド
１０  シート体
１１  巻取コア
１２  フランジ
１３  フランジ
１４  端部
１６  円筒部分
２１  供給コア
２２  フランジ
２３  フランジ
２４  端部
２６  円筒部分
３０  熱転写シート用カセット
３１  コア保持体
３４  蓋体
３７  蓋体
４１  巻取コア保持部
４２  軸受
４３  支持部材
４３ｂ  案内部
４３ｄ  開孔
４３ｅ  基端部
５１  供給コア保持部
５２  軸受
５３  支持部材
５３ｂ  案内部
５３ｄ  開孔
５３ｅ  基端部
６１  連結部
７１  コイルバネ
７２  コイルバネ
【図１】
2005219310.tif 000003
【図２】
2005219310.tif 000004
【図３】
2005219310.tif 000005
【図４】
2005219310.tif 000006
【図５】
2005219310.tif 000007
【図６】
2005219310.tif 000008